(57)【特許請求の範囲】
【請求項１】
室内ユニットからの冷媒配管が接続されるバルブが設けられ、室外ユニットの底板と側面パネルとに取付けられるバルブ取付台を有し、
該バルブ取付台の下面には、該バルブ取付台前面側に延設されて先端部が下方に傾いた弾性片を間隔をあけて２つ設けるとともに、これら弾性片の間には、前記底板のフランジに前記バルブ取付台を固定するためのねじ穴を設け、
前記バルブ取付台を、その下部を前記底板の前記フランジの内側に挿入し、前記弾性片の少なくとも一部を前記底板に圧接した状態で前記フランジにねじにより固定したことを特徴とする空気調和装置の室外ユニット。
【請求項２】
前記弾性片を、前記バルブ取付台の下部の一部を切り起こして形成したことを特徴とする請求項１記載の空気調和装置の室外ユニット。
【発明の詳細な説明】
【技術分野】
【０００１】
本発明は、空気調和装置の室外ユニットに係り、より詳しくは、室内ユニットからの冷媒配管が接続されるバルブを有するバルブ取付台の室外ユニットへの取付構造に関するものである。
【背景技術】
【０００２】
従来の空気調和装置の室外ユニットを、図１を参照して図７、図８により説明する。室外ユニット１のケーシング２は、底板３、前面パネル６、バルブ取付台１５が装着された側面パネル７及び天面パネル８からなっている。
【０００３】
このケーシング２内は図示しない仕切り板により機械室９と送風室１０（いずれも図示せず）に区画され、機械室９には圧縮機などが設けられ、送風室１０には背面側から他方の側面にかけて熱交換器が設けられ、また内部には送風機など（いずれも図示せず）が設けられている。
【０００４】
１５は底板３と側面パネル７に固定されて、室内ユニットの冷媒配管（図示せず）が接続されるバルブ２０を有するバルブ取付台である。図７、図８に示すように、このバルブ取付台１５ａは、側面パネル７に沿ってその下部が底板３のフランジ４の内側に挿入され、バルブ取付台１５ａに設けた係止片１６を底板３のフランジ４に設けた係止部４ａに係止させる。そして、フランジ４に設けたねじ挿通穴５ａに挿通した固定ねじ１１を、バルブ取付台１５ａに設けたねじ穴１９ａに螺入し、固定する。なお、図示してないが、バルブ取付台１５ａは側面パネル７にも固定される。
【０００５】
このように構成した室外ユニット１において、空気調和装置が運転を開始すると、圧縮機により冷媒が圧縮され、圧縮された冷媒は、冷房運転時には室外ユニット１の熱交換器からバルブ取付台１５ａに設けたバルブ２０、バルブ２０に接続された冷媒配管を経て室内ユニット（共に図示せず）に送られ、暖房運転時にはバルブ２０を経て冷媒配管により室内ユニットへ送られる。
【０００６】
このような空気調和装置において、室外ユニット１の機械室９に設置された圧縮機は、運転時に振動が発生し、この振動は配管を介してバルブ取付台１５ａに伝達され、これによりバルブ取付台１５ａが振動してその底部、特にその自由端（図９の左方）が底板３に当って騒音を発するという問題があった。
この騒音の発生を防止するために、図９に示すように、底板３のバルブ取付台１５ａが接触する位置に突起３ａを設け、バルブ取付台１５ａに弾性を付与して振動を抑制するようにしたものがある（このような技術に関連するものとして、例えば特許文献１参照）。
【先行技術文献】
【特許文献】
【０００７】
【特許文献１】特開昭６３−１０８１３９号公報（第２、３頁、図１）
【発明の概要】
【発明が解決しようとする課題】
【０００８】
従来の空気調和装置の室外ユニットにおいては、バルブ取付台１５ａを底板３のフランジ４に固定ねじ１１で取付けているが、フランジ４の強度が弱いため、バルブ取付台１５ａの弾性に負けてフランジ４が外方に傾くなどの変形が発生して意匠性を損ったり、予期しない振動を招いたりすることがあった。
【０００９】
本発明は、上記の課題を解決するためになされたもので、圧縮機の振動がバルブ取付台に伝達されても騒音が発生するのを抑制することができ、また、バルブ取付台が固定された筐体の底板のフランジが変形したりすることのない空気調和装置の室外ユニットを提供することを目的とするものである。
【課題を解決するための手段】
【００１０】
本発明に係る空気調和装置の室外ユニットは、室内ユニットからの冷媒配管が接続されるバルブが設けられ、室外ユニットの底板と側面パネルとに取付けられるバルブ取付台を有し、該バルブ取付台の下面には、該バルブ取付台前面側に延設されて先端部が下方に傾いた弾性片を間隔をあけて２つ設けるとともに、これら弾性片の間には、前記底板のフランジに前記バルブ取付台を固定するためのねじ穴を設け、前記バルブ取付台を、その下部を前記底板の前記フランジの内側に挿入し、前記弾性片の少なくとも一部を前記底板に圧接した状態で前記フランジにねじにより固定したものである。
【発明の効果】
【００１１】
本発明によれば、圧縮機の振動が配管を介してバルブ取付台に伝達されても、バルブ取付台が底板に当って騒音を発するのを抑制することができ、また、バルブ取付台が固定された底板のフランジが変形することがない。また、バルブ取付台に加えられる弾性片の付勢力によりフランジを変形させるおそれがなく、このため室外ユニットの意匠性を損ねることがない。
【図面の簡単な説明】
【００１２】
【図１】本発明の一実施の形態に係る空気調和装置の室外ユニットの斜視図である。
【図２】図１のバルブ取付台の斜視図及びそのＡ部の断面図である。
【図３】室外ユニットのケーシングを構成する底板とバルブ取付台との関係を示す説明図である。
【図４】底板にバルブ取付台を取付けた状態を示す説明図である。
【図５】底板にバルブ取付台を取付ける手順を示す要部の説明図である。
【図６】固定ねじによりバルブ取付台を底板のフランジに固定した状態を示す要部の説明図である。
【図７】従来の室外ユニットのケーシングを構成する底板とバルブ取付台との関係を示す説明図である。
【図８】図７の底板にバルブ取付台を取付けた状態を示す説明図である。
【図９】図８の要部の断面図である。
【発明を実施するための形態】
【００１３】
本発明の一実施の形態に係る空気調和装置の室外ユニットを示す図１において、各部の構成はほぼ前述の通りである。
本発明に係る室外ユニットのバルブ取付台１５は、図２、図３に示すように、下部に段部を介して上部より背面側に後退したほぼＬ字状の固定部１７が設けられており、この固定部１７の底部の少なくとも２か所には、切り起こしによって形成され、上部とほぼ同じ位置まで前面側に延設された切り起こし片１８ａ，１８ｂ（以下、弾性片といい、単に符号１８で示すことがある）が設けられている。この弾性片１８は、図２（ｂ）に示すように、先端部が水平面に対して下方に傾いている。１９は両弾性片１８ａ，１８ｂの間に設けたねじ穴である。
【００１４】
また、ケーシング２を構成する底板３のフランジ４には、バルブ取付台１５のねじ穴１９に対応する位置に凹部４ｂが設けられており、この凹部４ｂの奥壁（内側の面）には、バルブ取付台１５のねじ穴１９と整合するねじ挿通穴５が設けられている。
【００１５】
上記のように構成したバルブ取付台１５は、図３、図４に示すように、ケーシング２の側面パネル７に沿ってその下部の固定部１７を底板３のフランジ４の内側に挿入し、その係止片１６を底部３のフランジ４に設けた係止部４ａに係止させる。そして、底板３のフランジ４に設けた凹部４ｂのねじ挿通穴５に挿通した固定ねじ１１を、バルブ取付台１５のねじ穴１９に螺入し、固定する。なお、図示してないが、バルブ取付台１５は、側面パネル７にも固定される。
【００１６】
このとき、図５（ａ）に示すように、バルブ取付台１５を底板３のフランジ４の内側に挿入すると、弾性片１８の先端部が下方に傾いているためバルブ取付台１５は内側に傾くが、バルブ取付台１５を底板３に押し付けて、図６に示すように固定ねじ１１でフランジ４に固定することにより、図５（ｂ）に示すように、弾性片１８が弾性変形して底板３に圧着され、バルブ取付台１５は底板３に対して垂直に保持される。これにより、バルブ取付台１５には、弾性変形した弾性片１８により、常時上方へ向う付勢力が作用している。
【００１７】
上記の説明では、弾性片１８を底板３に圧着させてバルブ取付台１５を室外ユニット１に取付ける場合を示したが、製造上の公差などにより、図５（ｃ）に示すように、弾性片１８の先端部を底板３に当接又は圧接させた状態で、バルブ取付台１５を底板３から若干浮かせて固定ねじ１１によりフランジ４に固定してもよい。この場合にも、バルブ取付台１５には弾性片１８により上向きの付勢力が作用している。
【００１８】
上記のような室外ユニット１を備えた空気調和装置において、運転を開始して圧縮機が駆動されると、その振動が配管を介してバルブ取付台１５に伝達され、特に底部の自由端側を振動させるが、この振動は弾性片１８に吸収されて緩和又は抑制され、バルブ取付台１５が底板３と接触、非接触を繰返すことがないので、騒音の発生が緩和され又は防止される。
【００１９】
また、バルブ取付台１５を底板３のフランジ４に固定ねじ１１で固定するためのねじ穴１９を、弾性片１８ａ，１８ｂの間において外方に延設された弾性片１８ａ，１８ｂの内側に設けたので、バルブ取付台１５に加えられる弾性片１８ａ，１８ｂの付勢力によりフランジ４を変形させるおそれがなく、このため室外ユニット１の意匠性を損ねることがない。
【００２０】
上記の説明では、バルブ取付台１５の下部に切り起こしにより弾性片１８を形成した場合を示したが、これに限定するものではなく、例えば、板ばねからなる弾性片をバルブ取付台１５の下面に取付けるなど、他の手段を用いてもよい。
【符号の説明】
【００２１】
１  室外ユニット、２  ケーシング、３  底板、４  フランジ、４ａ  係止部、４ｂ  凹部、５  ねじ挿通穴、６  前面パネル、７  側面パネル、８  天面パネル、９  機械室、１０  送風室、１１  固定ねじ、１５  バルブ取付台、１６  係止片、１７  固定部、１８  弾性片、１９  ねじ穴、２０  バルブ。
【図１】
0005606355.tif 000002
【図２】
0005606355.tif 000003
【図３】
0005606355.tif 000004
【図４】
0005606355.tif 000005
【図５】
0005606355.tif 000006
【図６】
0005606355.tif 000007
【図７】
0005606355.tif 000008
【図８】
0005606355.tif 000009
【図９】
0005606355.tif 000010